(57)【要約】【課題】  構成を簡素化することで設備の小型化を図ることができるシールド電線の編組切断装置を提供する。【解決手段】  シールド電線の編組切断装置10は、編組44の外周を一対の編組開き爪32，33で叩いて編組44を拡径するように開いて切断するものである。このシールド電線の編組切断装置10は、一対の編組開き爪32，33を略く字形の凹部74とし、これらの編組開き爪32，33を前記編組44の径方向にスライドさせることで、編組開き爪32，33の凹部74で、編組44の外周のうちの四点の部位44Aを叩いて拡径するように開かせるように構成した。【選択図】  図４
2005229770.tif 000002
【特許請求の範囲】
【請求項１】
シールド電線の編組の外周側に一対の編組開き爪を移動し、これらの編組開き爪を編組の径方向にスライドさせることで編組の外周を一対の編組開き爪で叩くとともに、一対の編組開き爪をシールド電線の長手方向に移動することで編組を拡径するように開き、開いた編組内にパンチをもぐり込ませることで、パンチをダイスに向けて移動することでダイスとパンチとで編組を切断するシールド電線の編組切断装置において、
前記一対の編組開き爪を略く字形の凹部とし、これらの編組開き爪を前記編組の径方向にスライドさせることで、それぞれの編組開き爪の凹部で、編組の外周のうちの四点の部位を叩いて拡径するように開かせるように構成したことを特徴とするシールド電線の編組切断装置。
【請求項２】
前記一対の編組開き爪を位置決めする際に、前記一対の編組開き爪をシールド電線の長手方向に移動可能で、かつ、シールド電線の編組の外周を一対の編組開き爪で叩く際に、一対の編組開き爪をシールド電線の長手方向に移動可能な送り機構を備えたことを特徴とする請求項１に記載したシールド電線の編組切断装置。
【請求項３】
前記一対の編組開き爪をスライドするために、一対の編組開き爪にリンクを連結するとともに、このリンクにシリンダのピストンロッドをねじ結合し、
このねじ結合のねじ込み量を変えることで、一対の編組開き爪の重なり具合を調整可能に構成したことを特徴とする請求項１または請求項２に記載したシールド電線の編組切断装置。
【請求項４】
前記一対の編組開き爪を同一形状に形成し、各々の編組開き爪を左右対称に配置したことを特徴とする請求項１〜３のいずれか１項に記載したシールド電線の編組切断装置。
【発明の詳細な説明】
【技術分野】
【０００１】
本発明はシールド電線の編組切断装置に係り、例えばシールド電線の端末部に露出させた編組を切断するシールド電線の編組切断装置に関する。
【背景技術】
【０００２】
従来より、シールド電線を構成する編組の端末を切断する装置としてシールド電線の編組切断装置が知られている（例えば特許文献１参照）。
このシールド電線の編組切断装置でシールド電線の編組先端を切断する際には、まず一対の編組開き爪を送り機構で所定位置に位置決めした後、この編組開き爪にシールド電線の編組先端を突き当てて電線を切断位置に位置決めする。
【０００３】
位置決めした電線をチャックで保持した後、一対の編組開き爪を回転駆動機構で編組の先端部の回りを公転させながら、一対の編組開き爪で編組の先端部外周を叩くとともに、一対の編組開き爪を送り機構で編組の長手方向に移動することで編組の先端部を拡径するように開かせる。
【０００４】
先端が開いた編組に、編組浮かしパイプの先端を挿入することにより、編組浮かしパイプの先端に備えた内刃を編組の内側に配置する。
編組の外周側に配置した外刃を編組の先端に向かって移動することにより、外刃と内刃とで編組をせん断状に切断する。
【特許文献１】特開2001-327027号公報（図１）
【発明の開示】
【発明が解決しようとする課題】
【０００５】
しかし、従来のシールド電線の編組切断装置は、編組の先端部を拡径するように開かせるために、一対の編組開き爪を編組の先端部の回りに公転させる回転駆動機構を必要とし、さらに一対の編組開き爪を編組の長手方向に移動する送り機構を必要とする。
このように、従来のシールド電線の編組切断装置は、回転駆動機構と送り機構の２つの機構を具備しているため、構造上大きくなってしまう。
【０００６】
本発明は、前述した問題点に鑑みてなされたものであり、その目的は構成を簡素化することで設備の小型化を図ることができるシールド電線の編組切断装置を提供することにある。
【課題を解決するための手段】
【０００７】
１）前述した目的を達成するために、本発明は、シールド電線の編組の外周側に一対の編組開き爪を移動し、これらの編組開き爪を編組の径方向にスライドさせることで編組の外周を一対の編組開き爪で叩くとともに、一対の編組開き爪をシールド電線の長手方向に移動することで編組を拡径するように開き、開いた編組内にパンチをもぐり込ませることで、パンチをダイスに向けて移動することでダイスとパンチとで編組を切断するシールド電線の編組切断装置において、前記一対の編組開き爪を略く字形の凹部とし、これらの編組開き爪を前記編組の径方向にスライドさせることで、それぞれの編組開き爪の凹部で、編組の外周のうちの四点の部位を叩いて拡径するように開かせるように構成したことを特徴としている。
【０００８】
このように構成されたシールド電線の編組切断装置においては、一対の編組開き爪を略く字形の凹部とし、それぞれの凹部で編組の外周のうちの四点の部位を叩くことで、一対の編組開き爪を、シールド電線の周囲に公転させる必要がない。よって、例えば従来必要とされていた一対の編組開き爪を公転させる回転駆動機構を不要にできる。
これにより、シールド電線の編組切断装置の構成を簡素化することが可能になり、設備が構造上大きくなってしまうという問題を解消できることになる。
【０００９】
２）また、本発明は、前記一対の編組開き爪を位置決めする際に、前記一対の編組開き爪をシールド電線の長手方向に移動可能で、かつ、シールド電線の編組の外周を一対の編組開き爪で叩く際に、一対の編組開き爪をシールド電線の長手方向に移動可能な送り機構を備えたことを特徴としている。
【００１０】
このように構成されたシールド電線の編組切断装置においては、一対の編組開き爪の位置決め操作と、一対の編組開き爪で編組を叩きながらシールド電線の長手方向に移動する操作とを同一の送り機構で兼用できる。
これにより、シールド電線の編組切断装置の構成を簡素化することが可能になり、設備が構造上大きくなってしまうという問題を解消できることになる。
【００１１】
３）さらに、本発明は、前記一対の編組開き爪をスライドするために、一対の編組開き爪にスライド部材を連結するとともに、このスライド部材にシリンダのピストンロッドをねじ結合し、このねじ結合のねじ込み量を変えることで、一対の編組開き爪の重なり具合を調整可能に構成したことを特徴としている。
【００１２】
このように構成されたシールド電線の編組切断装置においては、一対の編組開き爪の重なり具合を調整可能とすることで、多種サイズのシールド電線に対応することが可能になり、設備の稼動率をさらに高めることができる。
【００１３】
４）加えて、本発明は、前記一対の編組開き爪を同一形状に形成し、各々の編組開き爪を左右対称に配置したことを特徴としている。
【００１４】
ここで、編組を拡径するように開いた後、編組内にパンチをもぐり込ませる必要があるために、編組の軸線をパンチの軸線に一致させる必要がある。
そこで、シールド電線の編組切断装置においては、一対の編組開き爪を同一形状に形成し、各々の編組開き爪を左右対称に配置することで、一対の編組開き爪で編組の外周の左右対称の位置を叩くことを可能にした。
これにより、一対の編組開き爪で編組の外周の叩くことにより、編組を調芯する作用が生まれ、編組開き動さと並行してシールド電線の調芯が可能になる。
【発明の効果】
【００１５】
本発明によれば、従来のような設備が構造上大きくなってしまうという問題を解消でき、これにより構成を簡素化することで設備の小型化を図るという効果が得られる。
【発明を実施するための最良の形態】
【００１６】
以下、本発明に係る実施形態を図面に基づいて詳細に説明する。図１は本発明に係るシールド電線の編組切断装置の側面図、図２は本発明に係るシールド電線の編組切断装置の正面図、図３は本発明に係るシールド電線の編組切断装置を構成する左右の編組開き爪の正面図、図４は本発明に係るシールド電線の編組切断装置を構成する左右の編組開き爪の斜視図である。
【００１７】
図１に示すように、本発明の実施形態であるシールド電線の編組切断装置10は、基台11にスライドベース12がガイドレール13を介してスライド自在に設けられ、スライドベース12の下方に送り機構14を備える。
送り機構14は、一例としてボールねじ15、ボールねじ15に移動体16がねじ結合され、この移動体16がスライドベース12に連結され、ボールねじ15を回転する駆動部18が備えられている。
さらに、スライドベース12の前部には、ダイス28、編組開き手段30および位置決め手段40が設けられている。編組開き手段30については図２で詳しく説明する。なお、編組開き手段30の左編組開き爪32及び右編組開き爪33は図２に示す。
【００１８】
送り機構14の駆動部18を駆動することにより、ボールねじ15を回転して移動体16を前後方向に移動する。
移動体16とともにスライドベース12が前後方向に（すなわち、矢印方向）に移動することにより、編組開き手段30の一対の爪（左右の爪）32，33（図２参照）を前後方向に移動する。これにより、ダイス28、編組開き手段30および位置決め手段40を所定定位置に位置決めすることが可能である。位置決め手段40は、シールド電線の端面に突き当てられることによりシールド電線を位置決めする板状とされ、シールド電線の径方向に沿って昇降可能とされている。
なお、送り機構14は、一例としてボールねじ15およびボールねじ15を回転する駆動部18で構成したものを使用するが、この構成に限定するものではない。
【００１９】
さらに、スライドベース12にはパンチ作動部19が設けされ、このパンチ作動部19にパンチ17が設けられている。
パンチ作動部19を操作することで、パンチ17が前後方向（矢印方向）に移動する。
また、シールド電線の編組切断装置10は、基台11に支持部材37を介してチャック38が設けられている。チャック38でシールド電線43を把持する。
【００２０】
図２に示すように、編組開き手段30は、フレーム27に左右のスライド板45，46がボルト47で左右方向にスライド自在に設けられ、左スライド板45に左編組開き爪32をボルト48で取り付け、右スライド板46に右編組開き爪33をボルト48で取り付け、左右のスライド板45，46にボルト49を介してリンク51を設け、リンク51の上端52にボルト54を介して上連結具55を連結し、この上連結具55に上シリンダ56（図１も参照）のピストンロッド57の先端をネジ結合し、上シリンダ56のシリンダ部58がボルト61を介してフレーム27の上部に連結され、リンク51の下端53にボルト62を介して下連結具63を連結し、この下連結具63に下シリンダ64のピストンロッド65の先端をネジ結合し、下シリンダ64（図１も参照）のシリンダ部66がボルト67を介してフレーム27の下部に連結されている。
【００２１】
左右の編組開き爪32，33は、先端部の重なり部がＳとなるように重なり合わされており、この重ね合わせ部Ｓの長さを変えることにより、外径の異なる多種サイズのシールド電線43に適用させることが可能になる。
【００２２】
図３〜図４に示すように左編組開き爪32は、基部71にボルト48を差し込む差込溝72を形成し、基部71に一対の傾斜爪73を重ね合わせることで、それぞれの傾斜爪73の当接辺76で略く字形の凹部74を形成したものである。
一対の傾斜爪73の当接辺76は、編組44の外周を叩く辺で、それぞれの当接辺76に斜面77を形成することで、当接辺76の肉厚を薄く形成したものである。
当接辺76の肉圧を薄くすることで、当接辺76で編組44の外周を効果的に叩くことが可能になる。
なお、右編組開き爪33は、左編組開き爪32と同一に形成した部材であり、左編組開き爪32の構成部と同じ符号を付して説明を省略する。
【００２３】
このように左右の編組開き爪32，33を同一形状に形成し、これらの編組開き爪32，33を左右対称位置に配置する。これにより、左右の編組開き爪32，33を編組44の径方向にスライドさせることで、それぞれの編組開き爪32，33の凹部74で、編組44の外周のうちの四点の部位44Aを叩いて拡径するように開かせることができる。
【００２４】
ここで、左右の編組開き爪32，33を同一形状に形成し、各々の編組開き爪32，33を左右対称に配置することで、左右の編組開き爪32，33で編組44の外周の左右対称の部位44Aを叩くことを可能にした。
これにより、左右の編組開き爪32，33で編組44の外周を叩くことにより、編組44を調芯する作用が生まれ、編組開き動さと並行してシールド電線43の調芯が可能になる。
【００２５】
次に、シールド電線の編組切断装置10の作用を図５（Ａ）〜図５（Ｄ）に基づいて説明する。
図５（Ａ）に示すように、位置決め手段40を下降させた後、シールド電線43を軸方向に沿って移動させることにより先端を位置決め手段40に突き当てさせて切断位置Ｐに位置決めする。
そして、位置決めしたシールド電線43をチャック38（図１参照）で把持した後、位置決め手段40を上昇させて退避させる。
【００２６】
次に、左右の編組開き爪32，33を外側にスライドさせて重ね合わせ部Ｓ（図２参照）を小さくし、あるいは図３に示すように重ね合わせ部がない状態にし、図５（Ｂ）に示すように左右の編組開き爪32，33を編組44の先端近傍の外側に配置する。
【００２７】
この状態で、左右の編組開き爪32，33を編組44の径方向（矢印Ａ方向）にスライドさせることで、左右の編組開き爪32，33の凹部74（図３、図４参照）で、編組44の外周のうちの四点の部位44A（図３参照）を叩きながら、左右の編組開き爪32，33をシールド電線43の長手方向（矢印Ｂ方向）に移動して編組44を拡径するように先端を開かせる。
このように、左右の編組開き爪32，33を略く字形の凹部74とし、それぞれの凹部74で編組44の外周のうちの四点の部位44Aを叩くことで、左右の編組開き爪32，33を編組44の周囲に公転させる必要がない。よって、左右の編組開き爪32，33を公転させる回転駆動機構を不要にできる。
【００２８】
編組44の外周のうちの四点の部位44Aを叩いて、編組44を拡径するように先端を開かせた状態で、図５（Ｃ）に示すように、先端が開いた編組44に、パンチ17を挿入する。
ここで、図３〜図４に示すように左右の編組開き爪32，33を同一形状に形成し、各々の編組開き爪32，33を左右対称に配置して編組44の外周の左右対称の部位44A（図３参照）を叩くことで、編組44を調芯する作用が生まれ、編組開き動さと並行してシールド電線43の調芯が可能になる。
よって、先端が開いた編組44に、パンチ17を正確に挿入できる。
先端が開いた編組44にパンチ17を挿入することにより、図５（Ｄ）に示すようにパンチ17とダイス28とで編組44を切断する。
【００２９】
なお、本発明のシールド電線の編組切断装置10は、前述した実施形態に限定されるものでなく、適宜な変形，改良等が可能である。
その他、前述した実施形態において例示したパンチ17，ダイス28，送り機構14，左右の編組開き爪32，33，編組44，リンク51，上下のシリンダ56，64，凹部74等の材質，形状，寸法，形態，数，配置個所等は本発明を達成できるものであれば任意であり、限定されない。
【図面の簡単な説明】
【００３０】
【図１】本発明に係るシールド電線の編組切断装置の側面図である。
【図２】図１のＡ−Ａ線断面図の正面図である。
【図３】本発明に係るシールド電線の編組切断装置を構成する左右の編組開き爪の正面図である。
【図４】本発明に係るシールド電線の編組切断装置を構成する左右の編組開き爪の斜視図である。
【図５】（Ａ）〜（Ｄ）本発明に係るシールド電線の編組切断装置の作用を説明する図である。
【符号の説明】
【００３１】
10  シールド電線の編組切断装置
17  パンチ
28  ダイス
32  左編組開き爪（一対の編組開き爪の一方）
33  右編組開き爪（一対の編組開き爪の他方）
43  シールド電線
44  編組
44A  編組の外周のうちの四点の部位
51  リンク
56  上シリンダ（シリンダ）
57，65  ピストンロッド
64  下シリンダ（シリンダ）
74  凹部
Ｐ  所定位置
【図１】
2005229770.tif 000003
【図２】
2005229770.tif 000004
【図３】
2005229770.tif 000005
【図４】
2005229770.tif 000006
【図５】
2005229770.tif 000007